(57)【要約】【課題】薄肉の金属パイプをプレス又は絞り加工によって接触部、雄ねじ、係止部、エレメント部を形成し、エレメント部の側部に水平状の切り込みを交互に対峙するように設けることによって金属コイルバネのアンテナと同様の送受信効果を有する携帯電話機用アンテナを提供する。【解決手段】所定長さの肉薄の金属パイプの下部に縦長の切り込み５ａを設けた接触部５の上部にプレス又はプレス加工によって雄ねじ４を形成し、この雄ねじ５の上部に所定の間隔をおいて鍔状の係止部３を形成し、この係止部３の上部に所定長さのエレメント部１を形成し、このエレメント部１の側部に水平状で且エレメント部１の周円の半分以上の長さの切り込み６複数個を交互に対峙するように設けたことを特徴とする。【選択図】　　　　　図１
2004040748.tif 000002
【特許請求の範囲】
【請求項１】
所定長さの肉薄の金属パイプの下部に縦長の切り込みを設けた接触部の上部にプレス又は絞り加工によって雄ねじを形成し、雄ねじの上部に所定の間隔をおいて鍔状の係止部を形成し、この係止部の上部に所定長さのエレメント部を形成し、このエレメント部の側部に水平状で且エレメント部の円周の半分以上の長さの切り込み複数本を交互に対峙するように設けたことによってエレメントを構成したことを特徴とする携帯電話機用アンテナ。
【請求項２】
エレメント部が肉厚の金属パイプであって、接触部が棒状の金属で構成され、雄ねじがねじ山状の金属線をコイル状に巻き付け固定したことを特徴とする請求項１記載の携帯電話機用アンテナ。
【発明の詳細な説明】
【０００１】
【発明の属する技術分野】
本発明は携帯電話機に取り付けられるアンテナの改良に関するもので、肉薄の金属パイプの側部に水平状の切り込みを交互に対峙するように複数本設けることによってコイルエレメントと同様の電波の送受信を可能にすると共に簡単な工程で製造でき、軽量で安価に提供できる携帯用電話機用アンテナに関するものである。
【０００２】
【従来の技術】
従来、携帯電話機用アンテナは携帯電話機の種類にしたがって様々な構造、形状のものが提供され、又、携帯電話器の進歩、改良に伴なってアンテナも改良が加えられてきた。
これ等のアンテナは何れも伸縮機構のもので、送信したり受信したりする場合、その都度引き出し、不要なったら押し込んで収納するようになっている。
又、軽量化、コストダウンについても長年に亘って工夫改良が加えられ、現在も続けられている。
【０００３】
【発明が解決しようとする課題】
しかし、携帯電話機は勿論、携帯電話機用アンテナも普及の拡大と共に、より安価に然も大量に提供するために製造工程の合理化、選択材料のコストダウンが要求されるようになってきた。
本発明は伸縮機構を避け、携帯電話機用アンテナの軽量化、製造工程の合理化によってコストダウンを図るため、薄肉の金属パイプをプレスまたは絞り加工によって接触部、雄ねじ、係止部、エレメント部を形成し、エレメント部の側部に水平状の切り込みを交互に対峙するように設けることによって金属コイルバネのアンテナと同様の送受信効果を有する携帯電話機用アンテナを提供することを目的とする。
【０００４】
【課題を解決するための手段】
上記目的を達成するため本発明は、所定長さの肉薄の金属パイプの下部に縦長の切り込み５ａを設けた接触部５の上部にプレス又は絞り加工によって雄ねじ４を形成し、この雄ねじ５の上部に所定の間隔をおいて鍔状の係止部３を形成し、この係止部３の上部に所定長さのエレメント部１を形成し、このエレメント部１の側部に水平状で且エレメント部１の周円の半分以上の長さの切り込み６複数個を交互に対峙するように設けることによってエレメントを構成したものである。又、円柱状の金属性棒体の上部に竪穴を設けることによって形成された肉厚の円筒の側部に、水平状に複数個の切り込みを交互に対峙させて設けることによってエレメントを構成したものである。
【０００５】
【発明の実施の形態】
以下、本発明の実施の形態を図面に基いて説明する。
図１は本発明の斜視図で、図２は図１におけるＩＩ−ＩＩ断面図、図３はプレス加工によって成形された本発明の縦断面図、図４は本発明の取り付け状態を示した図　、図５は肉厚の実施例を示した図で、図中の符号Ａはアンテナを示し、Ｂは携帯電話機を示す。
１はエレメント部で、金属パイプを絞り加工によって肉薄のパイプに形成されたエレメント部で、このエレメント部１に、図１に示したように一定の間隔をおいて切り込み６複数本を交互に対峙させるように設けることによってエレメント部１全体が金属線をコイル状にしたエレメントと同様の送受信効果を発揮するエレメントを形成したものである。
【０００６】
２はエレメント部１の上部に形成された頂部で、この頂部は更に複数の周波帯を受ける際にコイルを装着することができるような構造になっている。
【０００７】
３は鍔状の係止部で、携帯電話機にアンテナを取り付ける際、エレメント部１が携帯電話機外に突出した状態を保つように形成されたもので、この係止部３と雄ねじ４によってアンテナＡ全体が安定した状態で電話機に取り付けられるようになっていると共に、樹脂製のカバーを取り付ける際、カバーを受けるための突起物を兼ねている。
【０００８】
雄ねじ４は携帯電話機内に設けられた雌ねじ４ａと螺合させることによってアンテナＡが携帯電話機に固定されるよになっているが、雄ねじ４は雄ねじ４は図５に示したように接触部５が棒状又は肉厚の場合、プレス加工や絞り加工は不可能であるため、ねじ山状の金属線をコイル状に巻き付けて固定する。
【０００９】
５はアンテナＡの下部に設けれた接触部で、アンテナを携帯電話機に取り付けた際、電話機内の動電部に接触するようになっている。
接触部５には縦に切り込み５ａが設けられていて、電話機内の動電部に挿入接触させる際、動電部との間に多少寸法の誤差があっても支障なく挿入されるようになっており、別の異形コイル等を挿入する場合等の係止機構を兼ねている。
【００１０】
６は円筒状のエレメント部の周側部に設けられた切り込みで、この切り込み６は所定間隔をおいて交互に対峙するように複数個設けられている。
複数個設けられた前記切り込み６は各図に示したようにエレメント部１の周円の半分以上の長さに設けられている。
このように各切り込み６が設けられていることによってエレメント部１は、従来のアンテナに利用されている金属線のコイルアンテナと変わらない送受信効果かある。
【００１１】
７は図３に示したように一枚の金属の薄板をプレス加工によって裁断成形した際に発生する継ぎ目であるが、この継ぎ目は完全に接触しているのでアンテナの性能には全く関係ない。
従って、薄い金属パイプに絞り加工を施して成形したものと全く変わらない軽量のアンテナが形成される。
【００１２】
【発明の効果】
上記のように構成された本発明には次のような効果がある。
ａ．肉薄の金属パイプ又は金属板を絞り加工又はプレス加工によって形成し、エレメント部に、水平状に複数個の切り込みを交互に対峙するように設ける工程でエレメントが形成される。
ｂ．携帯電話機を使用する際、アンテナを引き出したり押し込んだりする必要がない。
ｃ．肉薄の金属板又は肉薄の金属パイプをプレス加工又は絞り加工によって更に軽量のアンテナが実現し、この軽量アンテナの出現によって安価な携帯電話機が提供できる。
ｄ．絞り加工又はプレス加工によって自在な形状に形成できるので、需要に応じて様々な型のアンテナを作ることができる。
【図面の簡単な説明】
【図１】本発明の斜視図である。
【図２】図１におけるＩＩ−ＩＩ断面図である。
【図３】プレス加工によって形成された本発明の斜視図である。
【図４】本発明の取り付け状態を示した図である。
【図５】本発明の第二実施例の縦断面図である。
【符号の説明】
１　エレメント部
２　頂部
３　係止部
４　雄ねじ
５　接触部
５ａ　切り込み
６　切り込み
７　継ぎ目
Ａ　アンテナ
Ｂ　携帯電話機
【図１】
2004040748.tif 000003
【図２】
2004040748.tif 000004
【図３】
2004040748.tif 000005
【図４】
2004040748.tif 000006
【図５】
2004040748.tif 000007